(57)【要約】      （修正有）【課題】人体の２つのヒップの股関節を交互に運動させ、人体が座っていればスローウォーキングの効果を達成することができるヒップエクササイズマシンを提供する。【解決手段】ヒップエクササイズマシンであって、ベース１と、ベースの左部に架設される左座板２と、ベースの右部に架設される右座板３と、を含み、左座板と右座板は対称に配置され、且つ左座板と右座板の運動サイクルは同期しない。【選択図】図５
0003226044.tif 000002
【実用新案登録請求の範囲】
【請求項１】
ヒップエクササイズマシンであって、
ベースと、
前記ベースの左部に架設され、且つベースに対して上下前後に円運動を行うことができる左座板と、
前記ベースの右部に架設され、且つベースに対して上下前後に円運動を行うことができる右座板と、を含み、
前記左座板と右座板は対称に配置され、且つ前記左座板と右座板の運動サイクルは同期しない、
ことを特徴とするヒップエクササイズマシン。
【請求項２】
偏心伝動機構と駆動機構をさらに含み、前記偏心伝動機構は、
水平方向に左右に配置され且つ前記駆動機構に接続される主伝動軸と、
前記主伝動軸に偏心して套設され、第１の主支持シートによって左座板または右座板裏面の内側に接続される第１の主偏心輪と、
前記主伝動軸に偏心して套設され、第２の主支持シートによって右座板または左座板裏面の内側に接続される第２の主偏心輪と、をさらに含み、
前記第１の主偏心輪と前記第２の主偏心輪の偏心方向は１８０度ずれている、
ことを特徴とする請求項１に記載のヒップエクササイズマシン。
【請求項３】
前記偏心伝動機構は、
水平方向に左右に配置され且つ前記主伝動軸と同期回転する副伝動軸と、
副伝動軸に偏心して套設され、且つ第１の副支持シートによって左座板または右座板裏面の内側に接続される第１の副偏心輪と、
副伝動軸に偏心して套設され、且つ第２の副支持シートによって右座板または左座板裏面の内側に接続される第２の副偏心輪と、をさらに含み、
前記第１の副偏心輪の偏心方向と前記第１の主偏心輪の偏心方向は同じであり、前記第２の副偏心輪の偏心方向と前記第２の主偏心輪の偏心方向は同じである、
ことを特徴とする請求項２に記載のヒップエクササイズマシン。
【請求項４】
前記副伝動軸は同期ベルトアセンブリによって前記主伝動軸に接続され、前記同期ベルトアセンブリは、
前記主伝動軸に套設される第１の同期プーリーと、
前記副伝動軸に套設される第２の同期プーリーと、
前記第１の同期プーリーと第２の同期プーリーに套設される同期ベルトと、をさらに含む、
ことを特徴とする請求項３に記載のヒップエクササイズマシン。
【請求項５】
前記主伝動軸と前記副伝動軸の両方は角軸である、
ことを特徴とする請求項３に記載のヒップエクササイズマシン。
【請求項６】
ステアリング減速伝動機構をさらに含み、前記偏心伝動機構は該ステアリング減速伝動機構によって前記駆動機構に接続され、前記ステアリング減速伝動機構は、
水平方向に前記主伝動軸に垂直に配置され、且つ前記駆動機構の駆動軸に接続される第１のウォーム軸と、
縦方向に前記第１のウォーム軸に垂直に配置され、且つ前記第１のウォーム軸と噛み合う第１のウォームギアと、
前記第１のウォームギアに同軸接続される第２のウォーム軸と、
前記主伝動軸に套設され、水平方向に前記第２のウォーム軸に垂直に配置され、且つ前記第２のウォーム軸と噛み合う第２のウォームギアと、をさらに含み、
前記第２のウォームギアの回転数は前記第１のウォーム軸の回転数よりはるかに小さい、
ことを特徴とする請求項２に記載のヒップエクササイズマシン。
【請求項７】
前後ガイド装置をさらに含み、該前後ガイド装置が前記左座板または右座板の裏面に組み合わせられ、且つ、
前記左座板または右座板裏面の外側に固定接続され、且つガイド穴を有するガイドレール支持シートと、
水平方向に前記ベースの外側に前後に組み合わせられ、且つ軸受穴を有するリニアベアリングと、
水平方向にガイド穴内に穿設され且つ前記ガイドレール支持シートに固定接続され、前後移動可能に前記軸受穴内に穿設されるラウンドガイドレールと、をさらに含む、
ことを特徴とする請求項１に記載のヒップエクササイズマシン。
【考案の詳細な説明】
【技術分野】
【０００１】
本考案はスポーツ器具の技術分野に関し、具体的には、ヒップの股関節を交互に運動させ、スローウォーキングの効果をシミュレートするヒップエクササイズマシンである。
【背景技術】
【０００２】
現在、コンピューターが広く使用されているため、コンピューターの前に長時間座ってタイピングすることは人間の健康に良くなく、ひいてはさまざまな病気を引き起こす。従来の椅子には運動機能がなく、如何に簡単で確実なヒップエクササイズマシンを製造して椅子に置き、ヒップの股関節にスローウォーキングの効果を感じさせることができる。これは、まさに考案者が解決しようとする問題である。
【０００３】
２０１５年０３月２５日に開示された、公開番号がＣＮ２０４２１９３０４Ｕの中国考案はマッサージツイストスイッチング機能を有するフィットネス運動機器を開示し、マッサージ健康製品の技術分野に関する。固定ベース、可変速モーター回転軸、傾斜角度回転シート、回転盤、及びツイストマッサージエクササイズクッションからなり、固定ベースに可変速モーター回転軸が設置され、可変速モーター回転軸に１組の傾斜角度回転シートが設置され、傾斜角度回転シートに回転盤が取り付けられ、回転盤にツイストマッサージエクササイズクッションが設置される。１組又は２組以上で同じ軸に同時に組み立てることができ、マッサージ形式をより多様化させることができ、コストを節約することができるだけでなく、応用範囲が広く、回転運動を実現すると同時に傾斜角度のねじれ運動を実現することもでき、構造が簡単であり、様々なマッサージ健康フィットネスシリーズ製品に任意に組み合わせて使用することができる。しかしながら、その運動方式は一体であり、ヒップの股関節にスローウォーキングの効果を感じさせることができない。
【考案の概要】
【考案が解決しようとする課題】
【０００４】
これに鑑みて、本考案が解決しようとする技術的課題は、人体の２つのヒップの股関節を交互に運動させ、人体が座っていさえすればスローウォーキングの効果を達成することができるヒップエクササイズマシンを提供することである。
【課題を解決するための手段】
【０００５】
上記の考案の目的を達成するために、本考案の実施例が採用する技術案は以下の通りである。
ヒップエクササイズマシンであって、
ベースと、
前記ベースの左部に架設され、且つベースに対して上下前後に円運動を行うことができる左座板と、
前記ベースの右部に架設され、且つベースに対して上下前後に円運動を行うことができる右座板と、を含み、
前記左座板と右座板は対称に配置され、且つ前記左座板と右座板の運動サイクルは同期しない。
【０００６】
また、本考案の実施例は偏心伝動機構と駆動機構をさらに含み、前記偏心伝動機構は、
水平方向に左右に配置され且つ前記駆動機構に接続される主伝動軸と、
前記主伝動軸に偏心して套設され、第１の主支持シートによって左座板または右座板裏面の内側に接続される第１の主偏心輪と、
前記主伝動軸に偏心して套設され、第２の主支持シートによって右座板または左座板裏面の内側に接続される第２の主偏心輪と、をさらに含み、
前記第１の主偏心輪と前記第２の主偏心輪の偏心方向は１８０度ずれている。
【０００７】
また、前記偏心伝動機構は、
水平方向に左右に配置され且つ前記主伝動軸と同期回転する副伝動軸と、
副伝動軸に偏心して套設され、且つ第１の副支持シートによって左座板または右座板裏面の内側に接続される第１の副偏心輪と、
副伝動軸に偏心して套設され、且つ第２の副支持シートによって右座板または左座板裏面の内側に接続される第２の副偏心輪と、をさらに含み、
前記第１の副偏心輪の偏心方向と前記第１の主偏心輪の偏心方向は同じであり、前記第２の副偏心輪の偏心方向と前記第２の主偏心輪の偏心方向は同じである。
【０００８】
また、前記副伝動軸は同期ベルトアセンブリによって前記主伝動軸に接続され、前記同期ベルトアセンブリは、
前記主伝動軸に套設される第１の同期プーリーと、
前記副伝動軸に套設される第２の同期プーリーと、
前記第１の同期プーリーと第２の同期プーリーに套設される同期ベルトと、をさらに含む。
【０００９】
また、前記主伝動軸と前記副伝動軸の両方は角軸である。
【００１０】
また、ステアリング減速伝動機構をさらに含み、前記偏心伝動機構は該ステアリング減速伝動機構によって前記駆動機構に接続され、前記ステアリング減速伝動機構は、
水平方向に前記主伝動軸に垂直に配置され、且つ前記駆動機構の駆動軸に接続される第１のウォーム軸と、
縦方向に前記第１のウォーム軸に垂直に配置され、且つ前記第１のウォーム軸と噛み合う第１のウォームギアと、
前記第１のウォームギアに同軸接続される第２のウォーム軸と、
前記主伝動軸に套設され、水平方向に前記第２のウォーム軸に垂直に配置され、且つ前記第２のウォーム軸と噛み合う第２のウォームギアと、をさらに含み、
前記第２のウォームギアの回転数は前記第１のウォーム軸の回転数よりはるかに小さい。
【００１１】
また、本考案の実施例は前後ガイド装置をさらに含み、該前後ガイド装置は前記左座板または右座板の裏面に組み合わせられ、且つ、
前記左座板または右座板裏面の外側に固定接続され、且つガイド穴を有するガイドレール支持シートと、
水平方向に前記ベースの外側に前後に組み合わせられ、且つ軸受穴を有するリニアベアリングと、
水平方向にガイド穴内に穿設され且つ前記ガイドレール支持シートに固定接続され、前後移動可能に前記軸受穴内に穿設されるラウンドガイドレールと、をさらに含む。
【考案の効果】
【００１２】
本考案の利点は以下の通りである。本考案は、スポーツクッションを左座板、右座板及びベースという３つの部分に分け、左座板と右座板は全てベースに対して上下前後に円運動を行うことができ、且つ前記左座板と右座板の運動サイクルが同期しないため、人体のスローウォーキング時のヒップの股関節の運動方式を模倣することができ、人体が座っていさえすればスローウォーキングの効果を達成することができる。
【図面の簡単な説明】
【００１３】
以下、図面を参照して実施例と組み合わせて本考案をさらに説明する。
【図１】本考案のスポーツクッションの外部の全体的な立体構造の模式図である。
【図２】本考案の右座板裏面の立体構造の模式図である。
【図３】本考案の左、右座板裏面の正面構造の模式図である。
【図３ａ】図３のＡ−Ａ方向に沿う断面模式図である。
【図４】本考案の偏心伝動機構の構造模式図である。
【図５】本考案のステアリング減速伝動機構の構造模式図である。
【図６】図５のＢ−Ｂ方向に沿う断面模式図であり、主に前後ガイド装置の構造を示す。
【考案を実施するための形態】
【００１４】
本考案の実施例はスポーツクッションを提供することによって、従来技術における、スポーツクッションにアーサナ運動を使用するため、人体のスローウォーキング時のヒップの股関節の運動方式を模倣することができない技術的課題を解決し、ヒップの股関節にスローウォーキングを感じさせる技術的効果を達成する。
【００１５】
上記の問題を解決するために、本考案の実施例における技術案の総合的な構想は以下の通りである。スポーツクッションを左座板、右座板及びベースという３つの部分に分け、左座板と右座板は全てベースに対して上下前後に円運動を行うことができ、且つ前記左座板と右座板の運動サイクルが同期しないため、人体のスローウォーキング時のヒップの股関節の運動方式を模倣することができ、人体が座っていさえすればスローウォーキングの効果を達成することができる。
【００１６】
上記の技術案をより良く理解するために、以下、明細書の図面（説明を容易にするため、明細書に限定される前後、上下、左右の方向は人体がヒップエクササイズマシンに座る方向を基準として、具体的に図面のマークを参照する）及び具体的な実施形態を参照しながら上記の技術案を詳細に説明する。
【００１７】
図１〜図６に示すように、本考案のヒップエクササイズマシンは、
ベース１と、
前記ベース１の左部に架設され、且つベース１に対して上下前後に円運動を行うことができる左座板２と、
前記ベース１の右部に架設され、且つベース１に対して上下前後に円運動を行うことができる右座板３と、を含み、
前記左座板２と右座板３は対称に配置され、且つ前記左座板２と右座板３の運動サイクルが同期しないため、左座板２と右座板３に円運動を個別に行わせ、一方が前に、他方が後に、且つ一方が上に、他方が下に動くため、適切なリズムを設定することによって、人体のスローウォーキング時のヒップの股関節の運動方式を模倣することができる。
【００１８】
図３に示すように、前記左座板２と前記右座板３は円運動を実現するために、前記左座板２と前記右座板３の裏面に偏心伝動機構４と駆動機構５を設置する必要があり、前記偏心伝動機構４は、
水平方向に左右に配置され且つ前記駆動機構５に接続される主伝動軸４１と、
前記主伝動軸４１に偏心して套設され、且つ第１の主支持シート４２２によって左座板２または右座板３裏面の内側に接続される第１の主偏心輪４２と、
前記主伝動軸４１に偏心して套設され、且つ第２の主支持シート４３２によって右座板３または左座板２裏面の内側に接続される第２の主偏心輪４３と、をさらに含み、
即ち第１の主偏心輪４２と第２の主偏心輪４３は、それぞれその中の一方の座板の裏面に設置され、例えば第１の主偏心輪４２が左座板２の裏面に設置される場合、第２の主偏心輪４３は右座板３の裏面に設置され、逆に、第１の主偏心輪４２が右座板３の裏面に設置される場合、第２の主偏心輪４３は左座板２の裏面に設置され、それによりそれぞれ１つの座板に円運動を行わせる。
【００１９】
また、左座板２と右座板３の円運動は人体のスローウォーキング時のヒップの股関節の運動方式を模倣する場合、前記第１の主偏心輪４２と前記第２の主偏心輪４３の偏心方向を１８０度ずらす必要があるため、左座板２と右座板３は円運動を行う場合、一方が前に、他方が後に、且つ一方が上に、他方が下に動くことができる。
【００２０】
また、左座板２と右座板３をより均一に受力させるために、前記偏心伝動機構は、
水平方向に左右に配置され且つ前記主伝動軸に同期回転する副伝動軸４４と、
副伝動軸に偏心して套設され、且つ第１の副支持シート４５２によって左座板または右座板裏面の内側に接続される第１の副偏心輪４５と、
副伝動軸に偏心して套設され、且つ第２の副支持シート４６２によって右座板または左座板裏面の内側に接続される第２の副偏心輪４６と、をさらに含み、
前記第１の副偏心輪４５の偏心方向は前記第１の主偏心輪４１の偏心方向と同じであり、前記第２の副偏心輪４６の偏心方向は前記第２の主偏心輪４３の偏心方向と同じである。このようにして、左座板２と右座板３はそれぞれ２つの分散した偏心輪により駆動して円運動を行うことができ、受力が均一であり、運動の安定を確保する。
【００２１】
副伝動軸４４と主伝動軸４１の両者を同期回転するよう確保するために、副伝動軸４４が同期ベルトアセンブリ４７によって前記主伝動軸４１に接続され、該同期ベルトアセンブリ４７は、
前記主伝動軸４１に套設される第１の同期プーリー４７１と、
前記副伝動軸４４に套設される第２の同期プーリー４７２と、
前記第１の同期プーリー４７１と第２の同期プーリー４７２に套設される同期ベルト４７３と、をさらに含む。これにより、主伝動軸４１の駆動力は同期ベルトアセンブリ４７によって副伝動軸４３に伝達されて、副伝動軸４３と前記主伝動軸４１を同期回転させることができる。
【００２２】
主伝動軸４１が駆動される場合、駆動力を同期ベルトアセンブリ４７により副伝動軸４４に伝達することができ、副伝動軸４４を同期回転させるため、第１、第２の主偏心輪４２、４３と第１、第２の副偏心輪４５、４６をそれに伴って回転させ、その偏心の特性のため、左座板２と右座板３がベース１に対して上下前後に円運動を行うように駆動することができる。
【００２３】
前記主伝動軸４１と前記副伝動軸４４の両方は角軸であるため、径方向位置決め機能を有し、軸またはそれとペアリングする部品に径方向位置決め構造を加工する必要がない。
【００２４】
本考案の他の実施例において、前記駆動機構５は駆動モーターであり、ヒップエクササイズマシンはステアリング減速伝動機構６をさらに含み、前記偏心伝動機構４が該ステアリング減速伝動機構６によって前記駆動機構５に接続され、前記ステアリング減速伝動機構６は、
水平方向に前記主伝動軸４１に垂直に配置され、且つ前記駆動機構５の駆動軸に接続される第１のウォーム軸６１と、
縦方向に前記第１のウォーム軸６１に垂直に配置され、且つ前記第１のウォーム軸６１と噛み合う第１のウォームギア６２と、
前記第１のウォームギア６２に同軸接続される第２のウォーム軸６３と、
前記主伝動軸４１に套設され、水平方向に前記第２のウォーム軸６３に垂直に配置され、且つ前記第２のウォーム軸６３と噛み合う第２のウォームギア６４と、をさらに含み、
駆動機構５が第１のウォーム軸６１を駆動して回転させる場合、駆動力が第１のウォームギア６２と第２のウォームギア６４の２回の回転を順次通過し、それにより主伝動軸４１の回転方向が駆動機構５の駆動軸の回転方向と異なり、コンパクトな配置、省スペースの目的を達成する。
【００２５】
前記第２のウォームギア６４の回転数は、前記第１のウォーム軸６１の回転数よりはるかに小さいため、減速の目的を同時に達成する。
【００２６】
本考案の他の実施例において、前後ガイド装置７をさらに含み、該前後ガイド装置７が前記左座板２または右座板３の裏面に組み合わせられ、且つ、
前記左座板２または右座板３裏面の外側に固定接続され、且つガイド穴７１２を有するガイドレール支持シート７１と、
水平方向に前記ベース１の外側に前後に組み合わせられ、且つ軸受穴７２２を有するリニアベアリング７２と、
ガイド穴７１２内に水平に穿設され且つ前記ガイドレール支持シート７１に固定接続され、前後移動可能に前記軸受穴７２２内に穿設されるラウンドガイドレール７３と、をさらに含む。
【００２７】
左座板２または右座板３はベース１に対して上下前後に円運動を行う場合、該前後ガイド装置７が支点として機能することができ、左座板２と右座板３の内側と外側は、レバーに似ていて、且つ支点が外側に近接し、これにより、左座板２と右座板３外側の運動振幅を制限することができ、それと同時に、左座板２と右座板３内側の運動振幅を拡大し、運動効果が良くなる。
【００２８】
また、左座板２または右座板３がベース１に対して前後に移動する場合、ラウンドガイドレール７３をリニアベアリング７２に対して前後に移動させることができ、それにより前後ガイド装置７によって左座板２または右座板３外側の上下の運動振幅を制限し、前後運動の振幅を制限しない。
【００２９】
本考案の利点は以下の通りである。本考案は、スポーツクッションを左座板、右座板及びベースという３つの部分に分け、左座板と右座板は全てベースに対して上下前後に円運動を行うことができ、且つ前記左座板と右座板の運動サイクルが同期しないため、人体のスローウォーキング時のヒップの股関節の運動方式を模倣することができ、人体が座っていさえすればスローウォーキングの効果を達成することができる。
【００３０】
以上、本考案の具体的な実施形態を説明したが、当業者は、説明された具体的な実施例は例示に過ぎず、本考案の範囲を制限するためのものではないことを理解すべきであり、当業者が本考案の精神に従って行った等価修飾や変化は、いずれも本考案の請求項が保護する範囲に含まれるべきである。
【図１】
0003226044.tif 000003
【図２】
0003226044.tif 000004
【図３】
0003226044.tif 000005
【図３ａ】
0003226044.tif 000006
【図４】
0003226044.tif 000007
【図５】
0003226044.tif 000008
【図６】
0003226044.tif 000009
【手続補正書】
【提出日】令和2年2月18日(2020.2.18)
【手続補正１】
【補正対象書類名】実用新案登録請求の範囲
【補正対象項目名】全文
【補正方法】変更
【補正の内容】
【実用新案登録請求の範囲】
【請求項１】
ヒップエクササイズマシンであって、
ベースと、
前記ベースの左部に架設される左座板と、
前記ベースの右部に架設される右座板と、を含み、
前記左座板と右座板は対称に配置され、且つ前記左座板と右座板の運動サイクルは同期しない、
ことを特徴とするヒップエクササイズマシン。
【請求項２】
偏心伝動機構と駆動機構をさらに含み、前記偏心伝動機構は、
水平方向に左右に配置され且つ前記駆動機構に接続される主伝動軸と、
前記主伝動軸に偏心して套設され、第１の主支持シートによって左座板または右座板裏面の内側に接続される第１の主偏心輪と、
前記主伝動軸に偏心して套設され、第２の主支持シートによって右座板または左座板裏面の内側に接続される第２の主偏心輪と、をさらに含み、
前記第１の主偏心輪と前記第２の主偏心輪の偏心方向は１８０度ずれている、
ことを特徴とする請求項１に記載のヒップエクササイズマシン。
【請求項３】
前記偏心伝動機構は、
水平方向に左右に配置され且つ前記主伝動軸と同期回転する副伝動軸と、
副伝動軸に偏心して套設され、且つ第１の副支持シートによって左座板または右座板裏面の内側に接続される第１の副偏心輪と、
副伝動軸に偏心して套設され、且つ第２の副支持シートによって右座板または左座板裏面の内側に接続される第２の副偏心輪と、をさらに含み、
前記第１の副偏心輪の偏心方向と前記第１の主偏心輪の偏心方向は同じであり、前記第２の副偏心輪の偏心方向と前記第２の主偏心輪の偏心方向は同じである、
ことを特徴とする請求項２に記載のヒップエクササイズマシン。
【請求項４】
前記副伝動軸は同期ベルトアセンブリによって前記主伝動軸に接続され、前記同期ベルトアセンブリは、
前記主伝動軸に套設される第１の同期プーリーと、
前記副伝動軸に套設される第２の同期プーリーと、
前記第１の同期プーリーと第２の同期プーリーに套設される同期ベルトと、をさらに含む、
ことを特徴とする請求項３に記載のヒップエクササイズマシン。
【請求項５】
前記主伝動軸と前記副伝動軸の両方は角軸である、
ことを特徴とする請求項３に記載のヒップエクササイズマシン。
【請求項６】
ステアリング減速伝動機構をさらに含み、前記偏心伝動機構は該ステアリング減速伝動機構によって前記駆動機構に接続され、前記ステアリング減速伝動機構は、
水平方向に前記主伝動軸に垂直に配置され、且つ前記駆動機構の駆動軸に接続される第１のウォーム軸と、
縦方向に前記第１のウォーム軸に垂直に配置され、且つ前記第１のウォーム軸と噛み合う第１のウォームギアと、
前記第１のウォームギアに同軸接続される第２のウォーム軸と、
前記主伝動軸に套設され、水平方向に前記第２のウォーム軸に垂直に配置され、且つ前記第２のウォーム軸と噛み合う第２のウォームギアと、をさらに含み、
前記第２のウォームギアの回転数は前記第１のウォーム軸の回転数よりはるかに小さい、
ことを特徴とする請求項２に記載のヒップエクササイズマシン。
【請求項７】
前後ガイド装置をさらに含み、該前後ガイド装置が前記左座板または右座板の裏面に組み合わせられ、且つ、
前記左座板または右座板裏面の外側に固定接続され、且つガイド穴を有するガイドレール支持シートと、
水平方向に前記ベースの外側に前後に組み合わせられ、且つ軸受穴を有するリニアベアリングと、
水平方向にガイド穴内に穿設され且つ前記ガイドレール支持シートに固定接続され、前後移動可能に前記軸受穴内に穿設されるラウンドガイドレールと、をさらに含む、
ことを特徴とする請求項１に記載のヒップエクササイズマシン。